(57)【要約】【課題】患者が横になっている場合に低コストで信頼性のある画像化を保証する。【解決手段】台車（１）を備え、台車（１）にリンクアーム（２）が配置され、リンクアーム（２）がその自由端（３）にＸ線放射源（４）を担持し、台車（１）上に画像評価装置（５）が配置され、画像評価装置（５）に画像記憶媒体（６）が挿入可能であり、画像記憶媒体（６）がＸ線照射によって作成された画像情報を含み、画像記憶媒体（６）に記憶された画像情報は画像評価装置（５）に読込み可能でありこの画像評価装置（５）で評価可能である。【選択図】図１
2007144161.tif 000002
【特許請求の範囲】
【請求項１】
台車（１）を備え、台車（１）にリンクアーム（２）が配置され、リンクアーム（２）がその自由端（３）にＸ線放射源（４）を担持し、台車（１）上に画像評価装置（５）が配置され、画像評価装置（５）に画像記憶媒体（６）が挿入可能であり、画像記憶媒体（６）がＸ線照射によって作成された画像情報を含み、画像記憶媒体（６）に記憶された画像情報は画像評価装置（５）に読込み可能でありこの画像評価装置（５）で評価可能であることを特徴とする移動形Ｘ線撮影システム。
【請求項２】
画像評価装置（５）はモニタ（７）を有することを特徴とする請求項１に記載の移動形Ｘ線撮影システム。
【請求項３】
画像記憶媒体（６）はイメージングプレートとして実施されていることを特徴とする請求項１又は２に記載の移動形Ｘ線撮影システム。
【請求項４】
画像評価装置（５）はコンピュータＸ線撮像（ＣＲ）リーダとして構成されていることを特徴とする請求項３に記載の移動形Ｘ線撮影システム。
【請求項５】
画像評価装置（５）に読込まれた画像情報の少なくとも一部はローカルネットワーク（ＬＡＮ）を介して受信器へ伝送可能であることを特徴とする請求項１乃至４の１つに記載の移動形Ｘ線撮影システム。
【請求項６】
画像評価装置（５）に読込まれた画像情報の少なくとも一部はワイヤレスローカルネットワーク（ＷＬＡＮ）を介して受信器へ伝送可能であることを特徴とする請求項１乃至５の１つに記載の移動形Ｘ線撮影システム。
【請求項７】
画像評価装置（５）で評価された画像情報の少なくとも一部はローカルネットワーク（ＬＡＮ）を介して受信器へ伝送可能であることを特徴とする請求項１乃至６の１つに記載の移動形Ｘ線撮影システム。
【請求項８】
画像評価装置（５）で評価された画像情報の少なくとも一部はワイヤレスローカルネットワーク（ＷＬＡＮ）を介して受信器へ伝送可能であることを特徴とする請求項１乃至７の１つに記載の移動形Ｘ線撮影システム。
【請求項９】
台車（１）は少なくとも１つの画像記憶媒体（６）の少なくとも１つの保持部（８）を有していることを特徴とする請求項１乃至８の１つに記載の移動形Ｘ線撮影システム。
【請求項１０】
少なくとも１つの保持部（８）は台車（１）の、リンクアーム（２）とは逆側の端面に配置されていることを特徴とする請求項９に記載の移動形Ｘ線撮影システム。
【発明の詳細な説明】
【技術分野】
【０００１】
本発明は移動形Ｘ線撮影システムに関する。
【背景技術】
【０００２】
移動形Ｘ線撮影装置は例えば特許文献１から知られている。この公知のＸ線撮影装置は台車を有し、台車には第１のリンクアームと第２のリンクアームとが配置されている。第１のリンクアームはその自由端にＸ線放射源を担持し、これに対し第２のリンクアームはその自由端に平形検出器を担持している。Ｘ線放射源と平形検出器とは空間内を三次元的に位置調整可能である。平形検出器はアモルファスシリコンをベースとした検出素子のマトリックスによって形成されている。検出信号は第２のリンクアーム内を案内されている導線を介して画像電子装置へ伝送される。平形検出器の位置決めは第２のリンクアームと台車の可動性とを介してのみ可能であるので、高コストおよび／または限定的にしか最適な画像化が可能でないというケースが生じうる。
【特許文献１】独国特許第１９６２７６５７号明細書
【発明の開示】
【発明が解決しようとする課題】
【０００３】
本発明の課題は、特に患者が横になっている場合に低コストで信頼性のある画像化を保証する移動形Ｘ線撮影システムを提供することである。
【課題を解決するための手段】
【０００４】
この課題は、本発明によれば、台車を備え、台車にリンクアームが配置され、リンクアームがその自由端にＸ線放射源を担持し、台車上に画像評価装置が配置され、画像評価装置に画像記憶媒体が挿入可能であり、画像記憶媒体がＸ線照射によって作成された画像情報を含み、画像記憶媒体に記憶された画像情報は画像評価装置に読込み可能でありこの画像評価装置で評価可能であることによって解決される。
【０００５】
本発明によるＸ線撮影システムの有利な実施態様は次の通りある。
画像評価装置はモニタを有し、モニタが特にタッチスクリーンとして構成されている（請求項２）。
画像記憶媒体はイメージングプレートとして、特にイメージングプレートを備えたカセッテとして実施されている（請求項３）。画像評価装置はコンピュータＸ線撮像（ＣＲ；Computed Radiography）リーダとして構成されている（請求項４）。
画像評価装置に読込まれた画像情報の少なくとも一部はローカルネットワーク（ＬＡＮ）を介して受信器へ伝送可能である（請求項５）。
画像評価装置に読込まれた画像情報の少なくとも一部はワイヤレスローカルネットワーク（ＷＬＡＮ）を介して受信器へ伝送可能である（請求項６）。
画像評価装置で評価された画像情報の少なくとも一部はローカルネットワーク（ＬＡＮ）を介して受信器へ伝送可能である（請求項７）。
画像評価装置で評価された画像情報の少なくとも一部はワイヤレスローカルネットワーク（ＷＬＡＮ）を介して受信器へ伝送可能である（請求項８）。
台車は少なくとも１つの画像記憶媒体の少なくとも１つの保持部を有している（請求項９）。少なくとも１つの保持部は台車の、リンクアームとは逆側の端面に配置されている（請求項１０）。
【０００６】
すなわち、請求項１に記載の移動形Ｘ線撮影システムは、台車を備え、台車にリンクアームが配置され、リンクアームがその自由端にＸ線放射源を担持し、台車上に画像評価装置が配置され、画像評価装置に画像記憶媒体が挿入可能であり、画像記憶媒体がＸ線照射によって作成された画像情報を含み、画像記憶媒体に記憶された画像情報は画像評価装置に読込み可能でありこの画像評価装置で評価可能である。
【０００７】
本発明によるＸ線システムでは、画像記憶媒体の位置決めはＸ線放射源の位置決めとは独立に可能である。従って、例えば患者が横になっている場合には、画像記憶媒体だけを患者の下へ移動させればよい。引続いて、Ｘ線システムの台車を患者のベッドの長手側または端面側に接近させ、Ｘ線放射源の向きを調整し、次いでＸ線撮影を行う。従って、請求項１に記載の移動形Ｘ線システムによれば、患者が横になっている場合も簡単に信頼性のある画像化を達成することができる。
【０００８】
請求項１に記載の移動形Ｘ線システムにおいて本発明に従って設けられた画像評価装置は、Ｘ線照射によって作成され画像記憶媒体に記憶された画像情報の読込みと、引続いて行なわれる、読込まれた画像情報の評価とを可能にする。従って、Ｘ線画像を作成する過程（ワークフロー）が著しく簡潔になる。
【０００９】
移動形Ｘ線撮影システムの有利な構成によれば、画像評価装置はモニタを有している。これにより、医者または操作者によるＸ線画像の即時の判断が可能である。
【００１０】
好ましくは、画像記憶媒体がイメージングプレートとして、特にイメージングプレートを備えたカセッテ（フィルムカセッテ）として実施されているのがよい。この場合、イメージングプレート内にある画像情報はこのイメージングプレートから読取られて画像評価装置に読込まれ、デジタル化される。この種のフィルムカセッテは平形検出器に比べて軽量であり、よって特に簡単に操作できる。さらに、フィルムカセッテの場合、平形検出器よりも各種サイズの選択肢がかなり多い。
【００１１】
イメージングプレートの場合、慣用の画像評価装置として最近ではいわゆるＣＲリーダ（ＣＲ，Computed Radiography；コンピュータＸ線撮像）が使用される。それぞれイメージングプレートに記憶されたアナログの画像情報はＣＲリーダに読込まれこのＣＲリーダによってデジタル化される。
【００１２】
本発明の範囲内では、画像情報を同様な手段で読取り、場合によってはデジタル化および評価する他の画像記憶媒体も可能である。
【００１３】
画像評価装置に読込まれた画像情報および／または画像評価装置で評価された画像情報を、ローカルネットワーク（LAN，Local  Area  Network）を介して、特にワイヤレスローカルネットワーク（WLAN,  Wireless  LAN）を介して受信器へ伝送可能であることによって、ワークフローがさらに改善される。この処置により、Ｘ線画像の連続撮影中、前もって撮影したＸ線画像を既に読込みおよび／または評価した画像情報の少なくとも一部を、主記憶装置または中央コンピュータへ伝送してさらに処理することができる。
【発明を実施するための最良の形態】
【００１４】
次に、本発明による移動形Ｘ線システムの一実施例を、図１に示された斜視図により詳細に説明する。
【００１５】
図１において１は移動形Ｘ線撮影システムの台車である。台車１にはリンクアーム２が配置されている。リンクアーム２は関節アームとも呼ばれており、その自由端３にＸ線放射源４を担持している。移動形Ｘ線撮影システムの台車１には本発明によれば画像評価装置５が配置されている。画像評価装置５には画像記憶媒体６を挿入可能であり、画像記憶媒体６に記憶された画像情報は画像評価装置５に読込み可能である。なお、画像情報は検査対象物（患者）をＸ線照射している間に画像記憶媒体６内で作成されたものである。画像記憶媒体６から読取られ画像評価装置５に読込まれた画像情報は引続いて画像評価装置５で評価される。
【００１６】
Ｘ線放射源４には、Ｘ線を放射するために必要な電圧が、台車１内に配置されている制御可能なＸ線発生器から提供される。Ｘ線発生器を制御するために必要な電子制御回路も同様に台車１内に配置されている。
【００１７】
画像評価装置５がＣＲリーダとして実施され、画像記憶媒体６がイメージングプレートとして、特にイメージングプレートを備えたカセッテとして実施されると有利である。この種のフィルムカセッテは平形検出器に比べて軽量であり、よって特に簡単に操作できる。さらに、フィルムカセッテの場合、平形検出器よりも各種サイズの選択肢がかなり多い。
【００１８】
本発明によるＸ線システムの図示した実施例において、画像評価装置５はモニタ７を有している。モニタ７はタッチスクリーンとして実施されており、従って同時に移動形Ｘ線システムのための各種操作要素の少なくとも一部を含むことができる。これにより、医者または操作者によるＸ線画像の即時の判断が可能である。場合によっては、更なるＸ線画像をすぐに作成させることができる。
【００１９】
図面に示した本発明によるＸ線システムの構成では、台車１はリンクアーム２とは逆側の端面に少なくとも１つの画像記憶媒体６の保持部８を有している。これにより画像記憶媒体６の交換が容易かつ迅速に可能である。
【図面の簡単な説明】
【００２０】
【図１】本発明による移動形Ｘ線システムの一実施例の斜視図
【符号の説明】
【００２１】
１  台車
２  リンクアーム
３  リンクアームの自由端
４  Ｘ線放射源
５  画像評価装置
６  画像記憶媒体
７  モニタ
８  画像記憶媒体の保持部
【図１】
2007144161.tif 000003